【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
管理対象とする第１の情報を取得する情報取得手段と、前記第１の情報、及び前記第１の情報に対する付加情報である第２の情報を蓄積する情報蓄積手段と、蓄積メディアと、を備える情報管理端末装置であって、
前記蓄積メディアが、前記情報管理端末装置を前記情報蓄積手段として動作させるプログラムを含む特定プログラムのみがアクセス可能な秘匿領域と、前記特定プログラム以外のプログラムもアクセス可能な通常領域と、を有し、
前記情報蓄積手段が、前記第１の情報又は前記第１の情報を参照可能なリンクと、前記第２の情報又は前記第２の情報を参照可能なリンクの前記通常領域への逐次的な蓄積を行い、
前記秘匿領域が、前記第１の情報及び／又は前記第２の情報の改竄を検出するためのデータ改竄検出パラメタを保持し、
前記情報蓄積手段で蓄積した前記第１の情報及び前記第２の情報から配信対象情報を選択して出力する配信手段を更に備え、
前記第２の情報が、前記配信手段による出力の履歴、前記配信手段による出力先を特定する情報、前記配信手段による出力先での処理結果のうち、少なくとも一つを含むことを特徴とする、情報管理端末装置。
【請求項２】
前記データ改竄検出パラメタが、前記第１の情報及び／又は前記第２の情報を用いて、前記第１の情報及び／又は前記第２の情報に対する改竄の有無を検出するための情報を生成する鍵であることを特徴とする、請求項１に記載の情報管理端末装置。
【請求項３】
前記秘匿領域に、前記特定プログラムの改竄検出を行うためのプログラム改竄検出パラメタを含み、
前記プログラム改竄検出パラメタを用いた前記特定プログラムの改竄検出処理を行う、プログラム改竄検出手段を備えることを特徴とする、請求項１又は請求項２に記載の情報管理端末装置。
【請求項４】
前記プログラム改竄検出手段が前記特定プログラムの改竄検出処理を定期的に行い、
前記特定プログラムの改竄を検出した際に、前回の前記特定プログラムの改竄検出処理を実行した時点から前記プログラムの改竄を検出した時点までに蓄積された前記第１の情報及び前記第２の情報の削除又は回復を行うことを特徴とする、請求項３に記載の情報管理端末装置。
【請求項５】
前記データ改竄検出パラメタを用いた前記第１の情報及び／又は前記第２の情報の改竄検出処理を行うデータ改竄検出手段を備え、
前記データ改竄検出手段が前記第１の情報及び／又は前記第２の情報の改竄を検出した際に、前回の前記第１の情報及び／又は前記第２の情報の改竄検出処理を実行した時点から前記第１の情報及び／又は前記第２の情報の改竄を検出した時点までに蓄積された前記第１の情報及び前記第２の情報の削除又は回復を行うことを特徴とする、請求項１から請求項４の何れかに記載の情報管理端末装置。
【請求項６】
前記配信手段が、選択した前記配信対象情報の秘匿レベルを設定する秘匿レベル設定手段と、前記秘匿レベルを付加情報として前記配信対象情報に付加して出力する手段と、を有することを特徴とする、請求項１から請求項５の何れかに記載の情報管理端末装置。
【請求項７】
前記秘匿レベルが、
前記配信対象情報を暗号化せずに送信するクラス０と、
前記配信対象情報の暗号化を行った状態で送信するクラス１と、
前記配信対象情報を暗号化し、出力先での複製を禁止し、前記配信対象情報の有効期限を設定して送信するクラス２と、
前記配信対象情報を暗号化し、出力先での複製の禁止、前記配信対象情報に対する任意の処理によって生じる処理結果情報の取り扱いの制限、前記配信対象情報の有効期限を設定して送信するクラス３と、を含むことを特徴とする、請求項６に記載の情報管理端末装置。
【請求項８】
前記第２の情報が、前記秘匿レベルをさらに含むことを特徴とする、請求項６又は請求項７に記載の情報管理端末装置。
【請求項９】
前記第１の情報の取得や配信に際して認証を行う個人・資格情報認証手段をさらに備える請求項１から請求項８の何れかに記載の情報管理端末装置。
【請求項１０】
前記第１の情報が、物の健康に関する情報であり、機器状態情報、機器稼働情報又は環境情報であることを特徴とする、請求項１から請求項９の何れかに記載の情報管理端末装置。
【請求項１１】
他の端末装置より配信される第１の情報、及び前記第１の情報に対する付加情報である第２の情報を受信する受信手段と、前記第１の情報、及び前記第２の情報の解析を行う解析手段と、前記解析手段による解析結果の前記他の端末装置への送信及び／又は表示を行う出力手段と、蓄積メディアと、を備える情報管理端末装置であって、
前記蓄積メディアが、前記情報管理端末装置を前記受信手段と、前記解析手段と、前記出力手段と、として動作させるプログラムを含む特定プログラムのみがアクセス可能な秘匿領域と、前記特定プログラム以外のプログラムもアクセス可能な通常領域と、を有し、
前記秘匿領域が、前記特定プログラムの改竄検出を行うためのプログラム改竄検出パラメタを含み、
前記プログラム改竄検出パラメタを用いた前記特定プログラムの改竄検出を行うプログラム改竄検出手段を備えることを特徴とする、情報管理端末装置。
【請求項１２】
前記受信手段が、前記第１の情報及び前記第２の情報に付与された秘匿レベルの判定を行う秘匿レベル判定手段を有し、
前記解析手段及び前記出力手段が、前記秘匿レベルに従って前記第１の情報、前記第２の情報、及び前記解析結果を取り扱うことを特徴とする請求項１１に記載の情報管理端末装置。
【請求項１３】
前記解析手段が、前記解析の履歴情報又は前記解析の履歴情報を参照可能なリンクを前記通常領域への蓄積し、
前記秘匿領域が、前記履歴情報の改竄を検出するためのデータ改竄検出パラメタを保持することを特徴とする、請求項１２に記載の情報管理端末装置。
【請求項１４】
前記解析手段が前記解析の履歴情報の改竄を検出した際に、前回の前記解析の履歴情報の改竄検出処理を実行した時点から前記解析の履歴情報の改竄を検出した時点までに蓄積された前記解析の履歴情報の削除又は回復を行うことを特徴とする、請求項１３に記載の情報管理端末装置。
【請求項１５】
前記秘匿レベルが、
前記第１の情報、及び前記第２の情報を暗号化せずに取り扱うクラス０と、
前記第１の情報、及び前記第２の情報の暗号化を行った状態で取り扱うクラス１と、
前記第１の情報、及び前記第２の情報を暗号化し、出力先での複製を禁止し、前記第１の情報、及び前記第２の情報の有効期限を設定して取り扱うクラス２と、
前記第１の情報、及び前記第２の情報を暗号化し、出力先での複製の禁止、前記解析結果の取り扱いの制限、前記第１の情報、及び前記第２の情報の有効期限を設定して取り扱うクラス３と、を含むことを特徴とする、請求項１２から請求項１４の何れかに記載の情報管理端末装置。
【請求項１６】
前記受信手段が、他の端末装置より前記解析結果を受信し、
前記解析手段が、前記解析結果の再解析を行うことを特徴とする、請求項１１から請求項１５の何れかに記載の情報管理端末装置。
【請求項１７】
前記第１の情報が、物の健康に関する情報であり、機器状態情報、機器稼働情報又は環境情報であることを特徴とする、請求項１１から請求項１６の何れかに記載の情報管理端末装置。
【請求項１８】
前記第１の情報の受信や閲覧に際して認証を行う個人・資格情報認証手段をさらに備える請求項１１から請求項１７の何れかに記載の情報管理端末装置。